(57)【要約】【課題】親機として用いられる主電話機及び子機として用いられる副電話機を備える電話通信システム等において、副電話機が備える電話帳情報の編集を主電話機にて編集する場合の利便性等を高めることが可能な電話通信システム、電話機、電話通信方法及び通信プログラムを提供する。【解決手段】主電話機１は、副電話機２から送信された電話帳情報ＰＢを受信し、受信した電話帳情報ＰＢを記録する。主電話機１は、電話帳情報ＰＢに対する編集操作の入力を受け付け、受け付けた編集内容に基づいて、電話帳情報ＰＢを更新する。主電話機１は、副電話機２へ編集後の電話帳情報を送信し、編集の対象となった電話帳情報ＰＢを削除する。副電話機２は、受信した編集後の電話帳情報ＰＢにより、記録していた電話帳情報ＰＢを更新する。【選択図】図２
2014053862.tif 000002
【特許請求の範囲】
【請求項１】
電話回線に接続して電話通信が可能な電話通信手段を備える主電話機と、前記主電話機と通信し、前記主電話機が備える電話通信手段による電話通信が可能な副電話機とを備える電話通信システムであって、
前記副電話機は、
電話通信の通信先を示す通信先情報を含む電話帳情報を記録する副側記録手段と、
前記副側記録手段に記録されている電話帳情報を前記主電話機へ送信する副側通信手段と
を備え、
前記主電話機は、
前記副電話機から受信した電話帳情報を記録する主側記録手段と、
前記主側記録手段に記録した電話帳情報を編集する入力を受け付ける入力手段と、
前記入力手段にて受け付けた入力に基づいて編集した電話帳情報を、前記副電話機へ送信する主側通信手段と
を備え、
前記副電話機は、更に、
受信した電話帳情報に基づいて、前記副側記録手段に記録されている電話帳情報を更新する更新手段を備える
ことを特徴とする電話通信システム。
【請求項２】
請求項１に記載の電話通信システムであって、
前記主電話機は、
前記主側通信手段にて電話帳情報を送信後、前記主側記録手段から電話帳情報を削除する削除手段を更に備える
ことを特徴とする電話通信システム。
【請求項３】
請求項１又は請求項２に記載の電話通信システムであって、
前記主電話機は、
編集した電話帳情報に含まれる通信先情報に基づいて、電話通信を行った場合に、前記主側通信手段により電話帳情報を送信する
ことを特徴とする電話通信システム。
【請求項４】
請求項３に記載の電話通信システムであって、
前記主電話機は、
通信先情報に基づく電話通信に係る通信時間を計測する計時手段を更に備え、
前記主側通信手段は、前記計時手段により計測した通信時間が所定時間以上であるときに、電話帳情報を送信する
ことを特徴とする電話通信システム。
【請求項５】
請求項１から請求項４までのいずれか１項に記載の電話通信システムであって、
前記主電話機は、
前記主側記録手段に記録した電話帳情報に含まれる通信先情報を外部へ出力する出力手段と、
前記出力手段による通信先情報の出力を、電話帳情報の編集が終了した後では制限する制限手段と
を備えることを特徴とする電話通信システム。
【請求項６】
請求項５に記載の電話通信システムであって、
前記制限手段は、編集が終了した電話帳情報の送信が成功するまで出力を制限することを特徴とする電話通信システム。
【請求項７】
電話回線に接続して電話通信することが可能な第１通信手段と、電話通信と異なる方法で、予め登録されている他の通信装置と通信することが可能な第２通信手段とを備え、前記通信装置の電話通信を媒介する電話機であって、
前記通信装置から、電話通信の通信先を示す通信先情報を含む電話帳情報を受信する手段と、
受信した電話帳情報を記録する手段と、
記録した電話帳情報を編集する入力を受け付ける手段と、
受け付けた入力に基づいて編集した電話帳情報を、前記通信装置へ送信する手段と
を備えることを特徴とする電話機。
【請求項８】
電話回線に接続して電話通信が可能な電話通信手段を備える他の通信装置と通信し、前記通信装置が備える電話通信手段による電話通信が可能な電話機であって、
電話通信の通信先を示す通信先情報を含む電話帳情報を記録する記録手段と、
前記通信装置から、電話帳情報の送信を要求された場合に、前記記録手段に記録されている電話帳情報を前記通信装置へ送信する手段と、
送信した電話帳情報を、前記通信装置から受信した場合に、前記記録手段に記録している電話帳情報から編集されているか否かを判別する手段と、
編集されていると判別したときに、受信した電話帳情報に基づいて、前記記録手段に記録されている電話帳情報を更新する手段と
を備えることを特徴とする電話機。
【請求項９】
電話回線に接続して電話通信が可能な電話通信手段を備える主電話機と、前記主電話機と通信し、前記主電話機が備える電話通信機能による電話通信が可能な副電話機とを用いた電話通信方法であって、
前記副電話機は、
予め記録されている、電話通信の通信先を示す通信先情報を含む電話帳情報を前記主電話機へ送信するステップを実行し、
前記主電話機は、
前記副電話機から受信した電話帳情報を編集する入力を受け付けるステップと、
受け付けた入力に基づいて電話帳情報を編集するステップと、
編集した電話帳情報を、前記副電話機へ送信するステップと
を実行し、
前記副電話機は、更に、
受信した電話帳情報に基づいて、前記記録されている電話帳情報を更新するステップを実行する
ことを特徴とする電話通信方法。
【請求項１０】
電話回線に接続して電話通信が可能な第１通信手段と、電話通信と異なる方法で、予め登録されている他の通信装置と通信することが可能な第２通信手段とを備え、前記通信装置の電話通信を媒介するコンピュータにて実行させることが可能な電話通信プログラムであって、
コンピュータに、
前記通信装置から、電話通信の通信先を示す通信先情報を含む電話帳情報を受信した場合であって、受信した電話帳情報を編集する入力を受け付けたときに、受け付けた入力に基づいて、電話帳情報を編集する手順と、
編集した電話帳情報を、前記通信装置へ送信する手順と
を実行させることを特徴とする電話通信プログラム。
【請求項１１】
電話回線に接続して電話通信が可能な電話通信手段を備える他の通信装置と通信し、前記通信装置が備える電話通信手段による電話通信が可能なコンピュータにて実行させることが可能な電話通信プログラムであって、
コンピュータに、
前記通信装置から、電話通信の通信先を示す通信先情報を含む電話帳情報の送信を要求された場合に、電話帳情報を記録する記録手段に、予め記録されている電話帳情報を前記通信装置へ送信する手順と、
送信した電話帳情報を、前記通信装置から受信した場合に、前記記録手段に記録されている電話帳情報から編集されているか否かを判別する手順と、
編集されていると判別したときに、受信した電話帳情報に基づいて、前記記録手段に記録されている電話帳情報を更新する手順と
を実行させることを特徴とする電話通信プログラム。
【発明の詳細な説明】
【技術分野】
【０００１】
電話回線に接続して電話通信が可能な主電話機と、主電話機と通信し、主電話機を介した電話通信が可能な副電話機とを備える電話通信システム、そのような電話通信システムの主電話機として用いられる電話機、そのような電話通信システムを用いた電話通信方法、及びそのような電話機を実現するための電話通信プログラムに関する。
【背景技術】
【０００２】
親機及び子機を含む複数の電話機を用いた電話通信システムが普及している。このような電話通信システムでは、電話番号を記録する電話帳情報を個々の電話機で保持することも可能である。さらに、一の子機に記録した電話帳情報を、親機へ送信して親機に記録し、親機でも利用することができる電話通信システムも提案されている（例えば、特許文献１）。
【先行技術文献】
【特許文献】
【０００３】
【特許文献１】特開２００２−３３８１７号公報
【発明の概要】
【発明が解決しようとする課題】
【０００４】
しかしながら、例えば、特許文献１に提案されているような電話通信システムでは、親機へ送信した電話帳情報に対し、親機を用いて電話番号の追加、変更等の編集を行った場合、そのままでは子機には反映されないという問題がある。
【０００５】
本発明は、このような状況に鑑みてなされたものであり、親機にて編集を行った場合、自動的に子機にも反映することにより、ユーザの利便性を向上させる電話通信システムの提供を目的とする。
【０００６】
また、本発明は、本発明に係る電話通信システムにて用いられる電話機を提供することにより、ユーザの利便性を向上させることを他の目的とする。
【０００７】
また、本発明は、本発明に係る電話通信システムを用いた電話通信方法を提供することにより、ユーザの利便性を向上させることを他の目的とする。
【０００８】
また、本発明は、本発明に係る電話機を実現する電話通信プログラムを提供することにより、ユーザの利便性を向上させることを他の目的とする。
【課題を解決するための手段】
【０００９】
上記課題を解決するため、本発明に係る電話通信システムは、電話回線に接続して電話通信が可能な電話通信手段を備える主電話機と、前記主電話機と通信し、前記主電話機が備える電話通信手段による電話通信が可能な副電話機とを備える電話通信システムであって、前記副電話機は、電話通信の通信先を示す通信先情報を含む電話帳情報を記録する副側記録手段と、前記副側記録手段に記録されている電話帳情報を前記主電話機へ送信する副側通信手段とを備え、前記主電話機は、前記副電話機から受信した電話帳情報を記録する主側記録手段と、前記主側記録手段に記録した電話帳情報を編集する入力を受け付ける入力手段と、前記入力手段にて受け付けた入力に基づいて編集した電話帳情報を、前記副電話機へ送信する主側通信手段とを備え、前記副電話機は、更に、受信した電話帳情報に基づいて、前記副側記録手段に記録されている電話帳情報を更新する更新手段を備えることを特徴とする。
【００１０】
したがって、本発明では、副電話機に記録されていた電話帳情報を主電話機にて編集した場合、副電話機でも更新される。
【００１１】
また、前記主電話機は、前記主側通信手段にて電話帳情報を送信後、前記主側記録手段から電話帳情報を削除する削除手段を更に備えることを特徴とする。
【００１２】
したがって、本発明では、編集後の電話帳情報は主電話機から削除されるので、秘匿性を保持することができる。
【００１３】
また、前記主電話機は、編集した電話帳情報に含まれる通信先情報に基づいて、電話通信を行った場合に、前記主側通信手段により電話帳情報を送信することを特徴とする。
【００１４】
したがって、本発明では、電話通信を行った後に副電話機へ電話帳情報を送信するので、誤って編集した電話帳情報が送信されることを防止することができる。
【００１５】
また、前記主電話機は、通信先情報に基づく電話通信に係る通信時間を計測する計時手段を更に備え、前記主側通信手段は、前記計時手段により計測した通信時間が所定時間以上であるときに、電話帳情報を送信することを特徴とする。
【００１６】
したがって、本発明では、所定時間以上の通話を行った場合に電話帳情報を送信するので、誤入力等の誤りがないことが確かな電話帳情報を送信することができる。
【００１７】
また、前記主電話機は、前記主側記録手段に記録した電話帳情報に含まれる通信先情報を外部へ出力する出力手段と、前記出力手段による通信先情報の出力を、電話帳情報の編集が終了した後では制限する制限手段とを備えることを特徴とする。
【００１８】
したがって、本発明は、電話帳情報を編集後、通信先情報の表示等の出力について、禁止等の制限を行うことにより、副電話機に記録されていた通信先情報を容易に確認することができないようにして、秘匿性を保持することができる。
【００１９】
また、前記制限手段は、編集が終了した電話帳情報の送信が成功するまで出力を制限することを特徴とする電話通信システム。
【００２０】
したがって、本発明では、例えば、編集後の電話帳情報の送信が成功するまで、通信先情報の表示等の出力について、禁止等の制限を行うことにより、副電話機との通信ができずに電話帳情報の記録が主電話機に残っている状態であっても、秘匿性を保持することができる。
【００２１】
本発明に係る電話機は、電話回線に接続して電話通信することが可能な第１通信手段と、電話通信と異なる方法で、予め登録されている他の通信装置と通信することが可能な第２通信手段とを備え、前記通信装置の電話通信を媒介する電話機であって、前記通信装置から、電話通信の通信先を示す通信先情報を含む電話帳情報を受信する手段と、受信した電話帳情報を記録する手段と、記録した電話帳情報を編集する入力を受け付ける手段と、受け付けた入力に基づいて編集した電話帳情報を、前記通信装置へ送信する手段とを備えることを特徴とする。
【００２２】
したがって、本発明では、電話機等の他の通信装置から受信した電話帳情報を編集した場合、他の通信装置でも更新される。
【００２３】
本発明に係る電話機は、電話回線に接続して電話通信が可能な電話通信手段を備える他の通信装置と通信し、前記通信装置が備える電話通信手段による電話通信が可能な電話機であって、電話通信の通信先を示す通信先情報を含む電話帳情報を記録する記録手段と、前記通信装置から、電話帳情報の送信を要求された場合に、前記記録手段に記録されている電話帳情報を前記通信装置へ送信する手段と、送信した電話帳情報を、前記通信装置から受信した場合に、前記記録手段に記録している電話帳情報から編集されているか否かを判別する手段と、編集されていると判別したときに、受信した電話帳情報に基づいて、前記記録手段に記録されている電話帳情報を更新する手段とを備えることを特徴とする。
【００２４】
したがって、本発明では、記録している電話帳情報を他の通信装置を用いて更新することが可能である。
【００２５】
本発明に係る電話通信方法は、電話回線に接続して電話通信が可能な電話通信手段を備える主電話機と、前記主電話機と通信し、前記主電話機が備える電話通信機能による電話通信が可能な副電話機とを用いた電話通信方法であって、前記副電話機は、予め記録されている、電話通信の通信先を示す通信先情報を含む電話帳情報を前記主電話機へ送信するステップを実行し、前記主電話機は、前記副電話機から受信した電話帳情報を編集する入力を受け付けるステップと、受け付けた入力に基づいて電話帳情報を編集するステップと、編集した電話帳情報を、前記副電話機へ送信するステップとを実行し、前記副電話機は、更に、受信した電話帳情報に基づいて、前記記録されている電話帳情報を更新するステップを実行することを特徴とする。
【００２６】
したがって、本発明では、副電話機に記録されていた電話帳情報を主電話機にて編集した場合、副電話機でも更新される。
【００２７】
本発明に係る電話通信プログラムは、電話回線に接続して電話通信が可能な第１通信手段と、電話通信と異なる方法で、予め登録されている他の通信装置と通信することが可能な第２通信手段とを備え、前記通信装置の電話通信を媒介するコンピュータにて実行させることが可能な電話通信プログラムであって、コンピュータに、前記通信装置から、電話通信の通信先を示す通信先情報を含む電話帳情報を受信した場合であって、受信した電話帳情報を編集する入力を受け付けたときに、受け付けた入力に基づいて、電話帳情報を編集する手順と、編集した電話帳情報を、前記通信装置へ送信する手順とを実行させることを特徴とする。
【００２８】
したがって、本発明では、電話機等のコンピュータにて実行することにより、電話機が、他の電話機等の通信装置から受信した電話帳情報を編集した場合、他の通信装置でも更新される。
【００２９】
本発明に係る電話通信プログラムは、電話回線に接続して電話通信が可能な電話通信手段を備える他の通信装置と通信し、前記通信装置が備える電話通信手段による電話通信が可能なコンピュータにて実行させることが可能な電話通信プログラムであって、コンピュータに、前記通信装置から、電話通信の通信先を示す通信先情報を含む電話帳情報の送信を要求された場合に、電話帳情報を記録する記録手段に、予め記録されている電話帳情報を前記通信装置へ送信する手順と、送信した電話帳情報を、前記通信装置から受信した場合に、前記記録手段に記録されている電話帳情報から編集されているか否かを判別する手順と、編集されていると判別したときに、受信した電話帳情報に基づいて、前記記録手段に記録されている電話帳情報を更新する手順とを実行させることを特徴とする。
【００３０】
したがって、本発明では、他の通信装置の子機として機能する電話機等のコンピュータにて実行することにより、電話機は、記録している電話帳情報を他の通信装置を用いて更新することが可能である。
【発明の効果】
【００３１】
本発明に係る電話通信システム、電話機、電話通信方法及び電話通信プログラムでは、主電話機が、副電話機から受信した電話帳情報の編集を受け付けた場合に、送信元の副電話機へ編集後の電話帳情報を送信する。これにより、副電話機の電話帳情報を主電話機にて編集した場合であっても、副電話機の電話帳も自動的に更新される。よって、ユーザの利便性を向上させることが可能である等、優れた効果を奏する。
【図面の簡単な説明】
【００３２】
【図１】本発明に係る電話通信システムの構成例を概念的に示す説明図である。
【図２】本発明に係る電話通信システムにおける各種装置のハードウェア構成例を示すブロック図である。
【図３】本発明に係る電話通信システムにおける主電話機が備える電話帳情報の記録内容の一例を概念的に示す説明図である。
【図４】本発明に係る電話通信システムにおける主電話機の電話帳編集処理の一例を示すフローチャートである。
【図５】本発明に係る電話通信システムにおける主電話機の電話帳編集処理の一例を示すフローチャートである。
【図６】本発明に係る電話通信システムにおける副電話機の電話帳編集処理の一例を示すフローチャートである。
【発明を実施するための形態】
【００３３】
以下、本発明の実施の形態について図面を参照しながら説明する。なお、以下の実施の形態は、本発明を具現化した一例であって、本発明の技術的範囲を限定する性格のものではない。
【００３４】
図１は、本発明に係る電話通信システムの構成例を概念的に示す説明図である。本発明に係る電話通信システムは、いわゆる、親機として用いられる主電話機１と、いわゆる、子機として用いられる一又は複数台の副電話機２，２，…を備えている。主電話機１は、電話回線に接続されており、電話回線を介して他の電話機と呼接続を確立することにより、電話通信をすることができる。副電話機２は、主電話機１と無線接続し、主電話機１を介して電話通信をすることができる。
【００３５】
図２は、本発明に係る電話通信システムにおける各種装置のハードウェア構成例を示すブロック図である。主電話機１は、制御部１０、記録部１１、記憶部１２、表示部１３、入力部１４、書換可能記録部（主側記録手段）１５、音声処理部１６、無線通信部（主側通信手段）１７、電話通信部１８等の様々な機構を備えている。
【００３６】
制御部１０は、ＣＰＵ（Central Processing Unit ）等の情報処理回路、計時回路、レジスタ回路等の各種回路を備え、装置内の各部を制御する処理を実行する機構である。なお、制御部１０は、カレンダー、時計等の機能を有する計時回路を備えているが、制御部１０とは別の回路として計時回路を設ける様にしても良い。
【００３７】
記録部１１は、不揮発性メモリであるＲＯＭ（Read Only Memory）として構成されたメモリ機構であり、本発明に係る主電話機用の電話通信プログラムＰＲＧ１等の様々なプログラム及びデータ等の各種情報が記録されている。記録部１１に記録されている各種情報としては、プログラムの実行に要するデータの他、自機を識別する識別情報（ＩＤ）等の情報が含まれる。ただし、必要に応じて識別情報を書換可能記録部１５に記録し、ユーザによる変更を許可するようにしても良い。
【００３８】
記憶部１２は、揮発性メモリであるＲＡＭ（Random Access Memory）として構成されたメモリ機構であり、制御部１０の制御に基づく処理により、一時的に発生する各種情報を記録する。
【００３９】
表示部１３は、例えば、画像を表示する液晶モニタを用いて構成される出力機構の一種であり、通信先、通信状態等の様々な情報を表示する。
【００４０】
入力部１４は、ユーザの操作による入力を受け付ける数字キー、各種機能キー等の各種キーその他の入力手段を用いた機構である。
【００４１】
書換可能記録部１５は、書換可能な不揮発性メモリであるＥＥＰＲＯＭ（Electronically Erasable and Programmable Read Only Memory ）等のメモリ機構であり、例えば、半導体メモリを用いて構成される。書換可能記録部１５は、電話帳情報ＰＢを備えている。電話帳情報ＰＢとは、電話番号等の通信先情報を記録したデータベースである。電話帳情報ＰＢは、書換可能記録部１５に記録されていることから、通信先情報の追加、削除、変更等の編集を行うことが可能であるが、編集には、認証情報（パスワード）の照合等による認証処理を要する。なお、主電話機１が備える書換可能記録部１５は、自機（主電話機１）用の電話帳情報ＰＢだけでなく、各副電話機２，２，…用の電話帳情報ＰＢを記録することも可能である。
【００４２】
音声処理部１６は、マイク等の音声入力部１６０及びスピーカ等の音声出力部１６１に接続し、音声入力部１６０から入力される音声信号及び音声出力部１６１から出力する音声信号の変換処理を行う機構である。音声処理部１６による変換処理とは、音声入力部１６０から入力された音声に基づくアナログ音声信号をデジタル信号に変換する処理、音声出力部１６１から出力すべくデジタル信号をアナログ音声信号に変換する処理である。
【００４３】
無線通信部１７は、アンテナ部１７０を介して副電話機２，２，…との無線通信を確立し、通信するための様々な回路を用いた通信機構である。
【００４４】
電話通信部１８は、電話回線に接続し、他の電話機と呼接続を確立して電話通信を行うための様々な回路を備えた通信機構である。
【００４５】
副電話機２は、制御部２０、記録部２１、記憶部２２、表示部２３、入力部２４、書換可能記録部（副側記録手段）２５、音声処理部２６、無線通信部（副側通信手段）２７等の様々な機構を備えている。また、音声処理部２６に接続する音声入力部２６０及び音声出力部２６１、並びに無線通信部２７に接続するアンテナ部２７０を備えている。
【００４６】
記録部２２には、本発明に係る副電話機用の電話通信プログラムＰＲＧ２等の様々なプログラム及びデータ等の各種情報が記録されている。
【００４７】
副電話機２が備える書換可能記録部２５は、電話帳情報ＰＢを記録しているが、自機（副電話機２）用の電話帳情報ＰＢのみであり、他の電話機の電話帳情報ＰＢを記録することはない。
【００４８】
また、副電話機２は、主電話機１の電話通信部１８に相当する機能を備えておらず、電話通信を行う場合、無線通信部２７を介して主電話機１に接続し、主電話機１の電話通信部１８の機能にて電話通信を行う。
【００４９】
図３は、本発明に係る電話通信システムにおける主電話機１が備える電話帳情報ＰＢの記録内容の一例を概念的に示す説明図である。電話帳情報ＰＢは、識別情報及び認証情報に対応付けて、名称情報及び通信先情報が記録されている。
【００５０】
識別情報とは、各電話機を識別するためのＩＤ等の情報である。認証情報とは、電話帳情報ＰＢに関する編集、設定変更等の操作の権限を確認するためのパスワード等の情報である。
【００５１】
名称情報とは、通信先の名前、名称等の情報であり、ユーザが通信先情報を識別するために付与する情報である。通信先情報とは、通信先を特定し、特定した通信先との通信を確立するための電話番号等の情報である。
【００５２】
主電話機１は、共用電話帳として用いられる自機用の電話帳情報ＰＢと、各副電話機２，２，…用のそれぞれの電話帳情報ＰＢとを記録することができ、それぞれの電話帳情報ＰＢを識別するために識別情報が記録されている。各副電話機２，２，…も図３に例示した電話帳情報ＰＢと同様の電話帳情報ＰＢを記録しているが、それぞれの副電話機２，２，…用の電話帳情報ＰＢに限られ、他の電話機用の電話帳情報ＰＢを記録することはない。なお、副電話機２が備える電話帳情報ＰＢは、自機用に限られるため、識別情報を省略することも可能である。
【００５３】
次に、本発明に係る電話通信システムにおける各種装置の処理について説明する。図４及び図５は、本発明に係る電話通信システムにおける主電話機１の電話帳編集処理の一例を示すフローチャートである。主電話機１の電話帳編集処理とは、ユーザが主電話機１を操作して、副電話機２に記録されている電話帳情報ＰＢを編集する際に実行される処理である。主電話機１は、制御部１０の制御により、記録部１１に記録された電話通信プログラムＰＲＧ１等の各種プログラムを読み取り、読み取った各種プログラム及びプログラム実行時に発生する各種情報を記憶部１２に記憶して、電話帳編集処理を実行する。
【００５４】
制御部１０は、無線通信部１７により、副電話機２と無線通信をするための無線接続を確立する（Ｓ１０１）。主電話機１及び副電話機２は、例えば、起動を契機としてステップＳ１０１に係る無線接続確立処理を実行する。そして、無線接続を確立後、ユーザは、主電話機１を操作して、編集の対象となる電話帳情報ＰＢを記録している副電話機２を指定する入力を行う。
【００５５】
制御部１０は、入力部１４から副電話機２を指定する入力を受け付け（Ｓ１０２）、指定された副電話機２へ、無線通信部１７から電話帳情報送信要求を送信する（Ｓ１０３）。電話帳情報送信要求とは、副電話機２に対して、記録している電話帳情報ＰＢの送信を要求する命令を示す電文情報である。
【００５６】
制御部１０は、電話帳情報送信要求に対して副電話機２から送信された電話帳情報ＰＢを、無線通信部１７にて受信し（Ｓ１０４）、受信した電話帳情報ＰＢを書換可能記録部１５に記録する（Ｓ１０５）。なお、前述のように副電話機２に記録されている電話帳情報ＰＢは、識別情報を含まないように構成することも可能である。このような場合、ステップＳ１０５にて記録する段階で、識別情報を付与して記録する。
【００５７】
主電話機１は、副電話機２の電話帳情報ＰＢを記録後、電話帳情報ＰＢの受信が完了したことを示すメッセージを表示部１３に表示する。ユーザは、表示内容を視認することにより、電話帳情報ＰＢを編集することが可能であることを認識し、電話帳情報ＰＢに対して編集操作を行う。電話帳情報ＰＢの編集操作としては、通信先情報の追加、削除、変更等の操作があるが、ここでは、通信先情報を追加又は変更し、かつ追加又は変更した通信先へ自動的に発呼する処理の例について説明する。なお、主電話機１は、ユーザの編集操作に際し、認証情報の入力を要求し、入力された認証情報の照合による認証が成功した場合に限り、編集操作を受け付けるようにしても良い。
【００５８】
制御部１０は、入力部１４から電話帳情報ＰＢに対する編集操作の入力を受け付け（Ｓ１０６）、受け付けた編集内容に基づいて、電話帳情報ＰＢを更新する（Ｓ１０７）。
【００５９】
主電話機１は、電話帳情報ＰＢを編集後、追加又は変更した通信先情報が示す通信先へ電話通信を行うべく発呼処理を行うが、追加又は変更した通信先情報への電話通信の要否を確認するメッセージを表示部１３に表示するようにしても良い。その場合、ユーザは、表示内容を視認し、電話通信を要すると判断した場合、その旨を示す入力を行う。なお、編集操作を行う段階で、電話通信を要することを示す入力を行うことも可能である。
【００６０】
制御部１０は、電話通信部１８により、編集対象の通信先へ発呼し（Ｓ１０８）、通信先の応答に対して、呼接続を確立する（Ｓ１０９）。ユーザは、呼接続を確立後、通信先と電話通信を行い、電話通信を完了後、呼を切断する操作を行う。
【００６１】
制御部１０は、呼を切断し（Ｓ１１０）、計時回路により、呼接続を確立してから呼を切断するまでの通信時間を計測し（Ｓ１１１）、計測した通信時間が予め設定されている所定時間以上か否かを判別する（Ｓ１１２）。ステップＳ１１２にて比較の対象となる所定時間とは、例えば、間違い電話を行った場合の切断を想定して決定される時間であり、所定時間以上、通話が継続したときには、編集後の通信先情報に入力間違いは無いと判断することができる。所定時間としては、例えば、５分等の値が設定される。なお、呼接続が確立しなかった場合は、通信時間は「０」となる。
【００６２】
ステップＳ１１２において、通信時間が所定時間以上であると判別した場合（Ｓ１１２：ＹＥＳ）、制御部１０は、電話帳情報ＰＢの外部への出力を制限し（Ｓ１１３）、無線通信部１７から副電話機２へ編集後の電話帳情報ＰＢを送信する（Ｓ１１４）。ステップＳ１１３の外部への出力の制限とは、電話帳情報ＰＢの秘匿性を保持するための処理である。ステップＳ１１４にて電話帳情報ＰＢは、副電話機２へ送信されるが、副電話機２への送信が必ずしも成功するとは限らないため、送信が失敗した場合であっても、電話帳情報ＰＢを削除することなく秘匿性を保持することができる。
【００６３】
外部への出力の制限とは、例えば、表示部１３への電話帳情報ＰＢの内容の表示の禁止であり、具体的には、電話帳情報ＰＢを表示させる操作が行われた場合でも、当該電話帳情報ＰＢが記録されていないように表示する。その場合の具体的な処理例としては、電話帳情報ＰＢを転送用のバッファメモリに待避させ、書換可能記録部１５の電話帳情報ＰＢを記録する領域から削除することにより、実現することができる。また、電話帳情報ＰＢの送信が完了するまで、着呼に対する受話以外の操作を禁止することで、実質的に電話帳情報ＰＢの内容の表示を禁止するようにしても良い。なお、外部への出力の禁止とは、表示部１３への表示の禁止のみを示すのではなく、音声としての電話帳情報ＰＢの内容の読上処理の禁止、ファクシミリ機能を用いた印刷の禁止、電話帳情報ＰＢのデータ出力の禁止等の処理をも含む。
【００６４】
制御部１０は、電話帳情報ＰＢの送信が成功したか否かを判別する（Ｓ１１５）。電話帳情報ＰＢの送信が成功しない場合とは、副電話機２の電源が切れている場合、副電話機２が電波の届かない範囲にあるため無線通信ができない場合等の通信ができない状況が発生した場合であり、このような場合には電話帳情報ＰＢの送信が失敗となる。
【００６５】
ステップＳ１１５において、電話帳情報ＰＢの送信が成功したと判別した場合（Ｓ１１５：ＹＥＳ）、編集の対象となった電話帳情報ＰＢを書換可能記録部１５から削除し（Ｓ１１６）、電話帳編集処理を終了する。副電話機２の電話帳情報ＰＢを主電話機１に残した場合、他人による内容の視認等の状況の発生により、秘匿性に係る問題が発生する恐れがある。ステップＳ１１６では、電話帳情報ＰＢを主電話機１から削除することにより、このような問題の発生を防止することができる。
【００６６】
ステップＳ１１２において、通信時間が所定時間未満であると判別した場合（Ｓ１１１２：ＮＯ）、制御部１０は、電話帳情報ＰＢの再編集の要否を確認するメッセージを表示部１３に表示する（Ｓ１１７）。通信時間が所定時間未満であることから、電話帳情報ＰＢの編集に誤りがあった蓋然性が高いと考えられるため、主電話機１は、ステップＳ１１３にて、再編集の要否を確認する。ユーザは、メッセージを視認し、要否を示す入力を行う。
【００６７】
制御部１０は、入力部１４から再編集の要否を示す入力を受け付け（Ｓ１１８）、再編集を要するか否かを判別する（Ｓ１１９）。
【００６８】
ステップＳ１１９にて、再編集を要すると判別した場合（Ｓ１１９：ＹＥＳ）、制御部１０は、ステップＳ１０６へ戻り、以降の処理を繰り返す。
【００６９】
ステップＳ１１９にて、再編集を要しないと判別した場合（Ｓ１１９：ＮＯ）、ステップＳ１１６へ進み、編集の対象となった電話帳情報ＰＢを書換可能記録部１５から削除し（Ｓ１１６）、電話帳編集処理を終了する。この場合も、秘匿性保持のため、主電話機１は、電話帳情報ＰＢを主電話機１から削除する。編集後の電話帳情報ＰＢは、誤った編集を行っている蓋然性が高く、また、編集前の電話帳情報ＰＢは、副電話機２に記録されていることから、電話帳情報ＰＢを削除することによる問題は無いとの判断である。なお、ユーザの操作により、電話帳情報ＰＢを残すように設定するようにしても良い。
【００７０】
このようにして、主電話機１の電話帳編集処理が実行される。
【００７１】
図６は、本発明に係る電話通信システムにおける副電話機２の電話帳編集処理の一例を示すフローチャートである。副電話機２の電話帳情報編集処理とは、主電話機１の電話帳情報編集処理の相手となる副電話機２にて実行される処理である。副電話機２は、制御部２０の制御により、記録部２１に記録された電話通信プログラムＰＲＧ２等の各種プログラムを読み取り、読み取った各種プログラム実行時に発生する各種情報を記憶部２２に記憶して、電話帳編集処理を実行する。
【００７２】
制御部２０は、無線通信部２７により、主電話機１と無線通信をするための無線接続を確立する（Ｓ２０１）。ステップＳ２０１における無線接続の確立は、主電話機１の電話帳編集処理において、ステップＳ１０１として説明した無線接続の確立と対応する処理である。
【００７３】
制御部２０は、主電話機１から送信された電話帳情報送信要求を、無線通信部２７にて受信する（Ｓ２０２）。ステップＳ２０１における電話帳情報送信要求の受信は、主電話機１の電話帳編集処理において、ステップＳ１０３として説明した電話帳情報送信要求の送信に対応する処理である。
【００７４】
制御部２０は、受信した電話帳情報送信要求に対し、書換可能記録部２５に記録されている自機の電話帳情報ＰＢを、無線通信部２７から主電話機１へ送信する（Ｓ２０３）。
【００７５】
電話帳情報ＰＢの送信後、副電話機２は、主電話機１から送信される編集後の電話帳情報ＰＢを受信するまで、待機状態となる。
【００７６】
制御部２０は、電話帳情報ＰＢを無線通信部２７にて受信する（Ｓ２０４）。ステップＳ２０４における編集後の電話帳情報ＰＢの受信は、主電話機１の電話帳編集処理において、ステップＳ１１４として説明した編集後の電話帳情報ＰＢの送信に対応する処理である。
【００７７】
さらに、制御部２０は、受信した電話帳情報が、自機に記録していた電話帳情報ＰＢであって、かつ編集後の電話帳情報ＰＢであるか否かを判別する（Ｓ２０５）。ステップＳ２０５では、電話帳情報ＰＢに付されている識別情報等の情報及び記録されている通信先情報の内容を、記録している電話帳情報と照合することにより、記録部２１に記録している電話帳情報ＰＢであって、かつ編集されているか否かを判断する。
【００７８】
ステップＳ２０５において、編集後の電話帳情報ＰＢであると判別した場合（Ｓ２０５：ＹＥＳ）、制御部２０は、受信した編集後の電話帳情報ＰＢに基づいて、記録している電話帳情報ＰＢを更新し（Ｓ２０６）、電話帳編集処理を終了する。このように、本発明に係る電話通信システムは、主電話機１にて電話帳情報ＰＢを編集した場合に、自動的に副電話機２にも反映されるため、ユーザの利便性を向上させることができる。
【００７９】
ステップＳ２０５において、自機に記録している電話帳情報ＰＢに対して編集した後の電話帳情報ではないと判別した場合（Ｓ２０５：ＮＯ）、電話帳情報ＰＢの更新は行わず、電話帳編集処理を終了する。なお、この場合であっても、その後、更に編集後の電話帳情報ＰＢを受信したとき、副電話機２は、ステップＳ２０４以降の処理を実施し、電話帳情報ＰＢを更新する。
【００８０】
このようにして、副電話機２の電話帳編集処理が実行される。
【００８１】
以上のように本発明に係る電話通信システムでは、副電話機２の電話帳情報ＰＢを主電話機１にて編集した場合、自動的に副電話機２にも反映されるため、ユーザの利便性を向上させることが可能である等、優れた効果を奏する。一般に、主電話機１の方が、副電話機２より、入力部１４の構成、編集機能等の編集に係る資源が充実していることから、主電話機１を用いて副電話機２の電話帳情報ＰＢを編集する際の利便性を向上させることは、ユーザのニーズに合致すると考えられる。
【００８２】
また、自動更新に際しても、編集における誤入力が生じている蓋然性が高い場合には、副電話機２へ送信しないように制限されるので、誤った内容で副電話機２の電話帳情報ＰＢが更新されることを防止することが可能である。
【００８３】
さらに、多くの者が操作すると考えられる主電話機１にて電話帳情報ＰＢを編集した場合でも、適宜、出力制限、削除等の処理がなされるので、秘匿性を保持することが可能である等、優れた効果を奏する。
【００８４】
前記実施の形態は、本発明の無数に存在する実施例の一部を開示したに過ぎず、目的、用途、仕様、設定等の様々な要因を加味して適宜設計することが可能である。
【００８５】
例えば、前記実施の形態では、主電話機は、編集後の電話帳情報を副電話機へ送信後、自動的に電話帳情報を削除する形態を示したが、本発明はこれに限らず、編集後の電話帳情報も主電話機に残し、ユーザの操作により、削除するようにしても良い。また、主電話機に残す場合には、認証情報による出力制限を設ける等、適宜設計することが可能である。
【００８６】
さらに、前記実施の形態では、主電話機から副電話機へ編集後の電話帳情報を送信する場合に、通信先への発呼を条件とする形態を示したが、本発明はこれに限らず、ユーザの操作に基づいて、電話帳情報を送信する等、適宜設計することが可能である。また、送信する電話帳情報についても、必ずしも編集後の電話帳情報を全て送信する必要は無く、編集前後の差分のみを送信するようにしても良い。
【符号の説明】
【００８７】
１  主電話機
１０  制御部
１１  記録部
１２  記憶部
１３  表示部
１４  入力部
１５  書換可能記録部
１６  音声処理部
１６０  音声入力部
１６１  音声出力部
１７  無線通信部
１７０  アンテナ部
１８  電話通信部
２  副電話機
２０  制御部
２１  記録部
２２  記憶部
２３  表示部
２４  入力部
２５  書換可能記録部
２６  音声処理部
２６０  音声入力部
２６１  音声出力部
２７  無線通信部
２７０  アンテナ部
ＰＢ  電話帳情報
ＰＲＧ１  電話通信プログラム（主電話機用）
ＰＲＧ２  電話通信プログラム（副電話機用）
【図１】
2014053862.tif 000003
【図２】
2014053862.tif 000004
【図３】
2014053862.tif 000005
【図４】
2014053862.tif 000006
【図５】
2014053862.tif 000007
【図６】
2014053862.tif 000008